(57)【要約】【課題】開閉体収容ケースの上面、前面および左右側面を保護でき、かつ、雨垂れ汚れによって見栄えが悪くなるようなことがないカバー体を提供する。【解決手段】カバー体10は、開閉装置１の開閉体収容ケース５の前面を覆う前板部11と、開閉体収容ケース５の左側面を覆う左側板部12と、開閉体収容ケース５の右側面を覆う右側板部13と、閉体収容ケース５の上面を覆う上板部14とを備える。上板部14の前端部、左端部および右端部の各々には、板状の水平部16，17，18を下方に向って突出状に設ける。【選択図】図１
2010126992.tif 000002
【特許請求の範囲】
【請求項１】
開閉装置の開閉体収容ケースを覆うカバー体であって、
前記開閉体収容ケースの前面を覆う前板部と、
前記開閉体収容ケースの左側面を覆う左側板部と、
前記開閉体収容ケースの右側面を覆う右側板部と、
前記開閉体収容ケースの上面を覆う上板部とを備え、
前記上板部の前端部、左端部および右端部の各々には、水切部および雨樋部の少なくともいずれか一方が設けられている
ことを特徴とするカバー体。
【請求項２】
上板部の前端部、左端部および右端部の各々には、水切部が設けられている
ことを特徴とする請求項１記載のカバー体。
【請求項３】
上板部の前端部、左端部および右端部の各々には、雨樋部が設けられている
ことを特徴とする請求項１記載のカバー体。
【請求項４】
上板部の前端部には、雨樋部が設けられ、
前記上板部の左端部および右端部の各々には、水切部が設けられている
ことを特徴とする請求項１記載のカバー体。
【発明の詳細な説明】
【技術分野】
【０００１】
本発明は、開閉装置の開閉体収容ケースを覆うカバー体に関するものである。
【背景技術】
【０００２】
従来、この種のカバー体として、例えば開閉装置のシャッタケース等の開閉体収容ケースの側面を覆う被覆部と建物開口の縁部側に固設される基端部とを有する軟質で可撓性のカバー体が知られている（例えば、特許文献１参照）。
【特許文献１】特開平１０−１４０９４８号公報
【発明の開示】
【発明が解決しようとする課題】
【０００３】
しかしながら、上記従来のカバー体は開閉体収容ケースの側面を覆うものに過ぎないため、例えば風の強い日等における外部からの飛来物によって、開閉体収容ケースの上面および前面に、へこみ等が発生するおそれがある。そこで、開閉体収容ケースの上面、前面および左右側面を覆って保護するカバー体が求められていた。
【０００４】
また一方では、昨今の建物外壁色が明るい色調になっていること等から同様に明るい色のカバー体が求められ、例えばカバー体を明るい色にした場合等には雨垂れ汚れが目立ち、見栄えが悪くなる問題がある。
【０００５】
本発明は、このような点に鑑みなされたもので、開閉体収容ケースの上面、前面および左右側面を保護でき、かつ、雨垂れ汚れによって見栄えが悪くなるようなことがないカバー体を提供することを目的とする。
【課題を解決するための手段】
【０００６】
請求項１記載のカバー体は、開閉装置の開閉体収容ケースを覆うカバー体であって、前記開閉体収容ケースの前面を覆う前板部と、前記開閉体収容ケースの左側面を覆う左側板部と、前記開閉体収容ケースの右側面を覆う右側板部と、前記開閉体収容ケースの上面を覆う上板部とを備え、前記上板部の前端部、左端部および右端部の各々には、水切部および雨樋部の少なくともいずれか一方が設けられているものである。
【０００７】
請求項２記載のカバー体は、請求項１記載のカバー体において、上板部の前端部、左端部および右端部の各々には、水切部が設けられているものである。
【０００８】
請求項３記載のカバー体は、請求項１記載のカバー体において、上板部の前端部、左端部および右端部の各々には、雨樋部が設けられているものである。
【０００９】
請求項４記載のカバー体は、請求項１記載のカバー体において、上板部の前端部には、雨樋部が設けられ、前記上板部の左端部および右端部の各々には、水切部が設けられているものである。
【発明の効果】
【００１０】
本発明によれば、開閉体収容ケースの上面、前面および左右側面を保護でき、しかも、上板部の前端部、左端部および右端部の各々には水切部および雨樋部の少なくともいずれか一方が設けられているため、上板部に付着した汚れに雨水がかかった際に発生する前板部、左側板部および右側板部への雨垂れ汚れの付着を適切に防止でき、雨垂れ汚れによって見栄えが悪くなるようなことがない。
【発明を実施するための最良の形態】
【００１１】
本発明のカバー体の一実施の形態を図１ないし図３を参照して説明する。
【００１２】
図１において、１は開閉装置で、この開閉装置１は、例えば建物の窓開口等の開口部２を開閉する窓シャッタである。
【００１３】
開閉装置１は、図１に示されるように、開口部２を開閉する昇降可能なシャッタカーテン等の開閉体３と、互いに離間対向して配設され開閉体３の昇降時に開閉体３の左右方向端部を案内する上下方向長手状の左右のガイドレール４と、開口部２の閉鎖時に開閉体３が収容されるシャッタボックス等の開閉体収容ケース５とを備えている。
【００１４】
開閉体収容ケース５は、例えば薄肉の金属板等からなるもので、左右方向に長手方向を有する外形略直方体状の箱形状に形成されている。開閉体収容ケース５内には、図示しないが、開閉体３を巻戻し可能に巻き取る回転可能な巻体およびこの巻体を回転させる開閉機等が配設され、巻体に開閉体３の上端部が取り付けられている。開閉体収容ケース５の下面には左右方向長手状の開閉体挿通用孔部（図示せず）が形成され、この開閉体挿通用孔部に開閉体３が挿通されている。
【００１５】
開閉体３は、例えば互いに回動自在に連結されたスラット等からなるもので、巻体の巻戻しにより下降して略平板状の閉状態となって開口部２を閉鎖し、巻体の巻取りにより上昇して開閉体収容ケース５内で略円筒状の開状態となって開口部２を開口させる。なお、開閉体３は、例えばパネル、シート部材、スクリーン部材等からなるものでもよい。
【００１６】
また、開閉装置１は、開閉体収容ケース５に脱着可能に取り付けられこの開閉体収容ケース５の外面側を覆って保護する保護ケースであるカバー体（メンテナンス用ケース材等）10を備えている。
【００１７】
カバー体10は、例えば薄肉の金属板或いは樹脂板等からなり、開閉体収容ケース５に嵌合する形状のもので、左右方向に長手方向を有する外形略直方体状の略箱形状に形成されている。すなわち例えばカバー体10は、開閉体収容ケース５の前面を覆う左右方向に細長い略矩形状の前板部11と、前板部11の右端部から後方に向って突出し開閉体収容ケース５の左側面を覆う左右方向にやや長い略矩形状の左側板部12と、前板部11の左端部から後方に向って突出し開閉体収容ケース５の右側面を覆う左右方向にやや長い略矩形状の右側板部13と、開閉体収容ケース５の上面を覆う左右方向に細長い略矩形状の上板部14とを備え、下方および後方に向って開口している。
【００１８】
前板部11、左側板部12および右側板部13は鉛直状に配設され、左側板部12および右側板部13は互いに離間対向している。上板部14は、前端ほど下方に位置するように前下り傾斜状に配設されている。
【００１９】
そして、上板部14の前端部、左端部および右端部の各々には、鉛直板状の水切部16，17，18が各端部の全長にわたって下方に向って突出状に設けられている。つまり、上板部14の前端部、左端部および右端部の各々には、水切部16，17，18が前板部11、左側板部12および右側板部13の各上端部外面と離間対向するように下方に向って一体に突設されている。
【００２０】
ここで、図２に示されるように、上板部14の前端部は、前板部11の上端部から前方に向って突出し、この突出部分の先端から板状の水切部16が下方に向って一体に突出している。この前端位置の水切部16は、例えば上板部14を構成する上板材20の前端部が略９０度折り曲げられかつこの折曲部分がさらに略１８０度折り返されることにより形成され、水切部16の上部は１枚板状で下部は２枚板状となっている。なお、前板部11を構成する前板材21の上端部は略９０度折り曲げられ、この折曲部分21aに上板材20の取付板部20aがリベット、或いはビス等の取付具22にて固定的に取り付けられている。
【００２１】
また、図３に示されるように、上板部14の右端部は、右側板部13の上端部から右側方に向って突出し、この突出部分の先端から板状の水切部18が下方に向って一体に突出している。この右端位置の水切部18は、前記水切部16と同様、例えば上板部14を構成する上板材20の右端部が略９０度折り曲げられかつこの折曲部分がさらに略１８０度折り返されることにより形成され、水切部18の上部は１枚板状で下部は２枚板状となっている。なお、右側板部13を構成する右側板材23の上端部は略９０度折り曲げられ、この折曲部分23aに上板材20の取付板部20aがリベット、或いはビス等の取付具24にて固定的に取り付けられている。
【００２２】
なお、図示しないが、上板部14の左端部は、左側板部12の上端部から左側方に向って突出し、この突出部分の先端から板状の水切部17が下方に向って一体に突出している。この左端位置の水切部17は、前記水切部16，18と同様、例えば上板部14を構成する上板材20の左端部が略９０度折り曲げられかつこの折曲部分がさらに略１８０度折り返されることにより形成され、水切部17の上部は１枚板状で下部は２枚板状となっている。また右側板材23と同様、左側板部12を構成する左側板材25の上端部は略９０度折り曲げられ、この折曲部分に上板材20の取付板部20aがリベット、或いはビス等の取付具26にて固定的に取り付けられている。
【００２３】
さらに、開閉装置１は、図１に示されるように、開閉体収容ケース５の下部に脱着可能に取り付けられこの開閉体収容ケース５の下部外面側を覆って保護する補助カバー体（メンテナンス用ケース材等）30を備えている。
【００２４】
補助カバー体30は、例えば薄肉の金属板或いは樹脂板等からなり開閉体収容ケース５の下部に嵌合する略コ字状のもので、開閉体収容ケース５の前面下端部を覆う前板部31と、前板部31の右端部から後方に向って突出し開閉体収容ケース５の下端部左側面を覆う左板部32と、前板部31の左端部から後方に向って突出し開閉体収容ケース５の下端部右側面を覆う右板部33とを備えている。また、補助カバー体30は上端部に連結部35を有し、この連結部35の外面側にカバー体10の下端部の連結部36が嵌合連結される。
【００２５】
なお、カバー体10および補助カバー体30の色は、例えば建物の外壁色に合わせた明るい色である。
【００２６】
次に、上記開閉装置１の作用等を説明する。
【００２７】
カバー体10および補助カバー体30を用いて開閉体収容ケース５を覆う場合、まず、補助カバー体30を開閉体収容ケース５の下部に嵌め込んだ後、カバー体10を開閉体収容ケース５の上部に嵌め込んで補助カバー体30の連結部35とカバー体10の連結部36とを嵌合連結し、その後、これら連結部35，36の孔部35a，36aにボルト、或いはビス等の取付具（図示せず）を挿入し、その取付具にて両カバー体10，30を開閉体収容ケース５に対して脱着可能に取り付ける。
【００２８】
そして、これらカバー体10および補助カバー体30にて開閉体収容ケース５の上面、前面および左右側面が覆われているため、開閉体収容ケース５の上面、前面および左右側面を保護でき、よって、例えば風の強い日等における外部からの飛来物にて開閉体収容ケース５の上面、前面および左右側面にへこみ等が発生し難く、へこみ等によって開閉体収容ケース５自体の交換を招くようなことがない。
【００２９】
また、カバー体10の上板部14の前端部、左端部および右端部の各々には板状の水切部16，17，18が下方に向って突設されているため、例えば雨天時等において上板部14に付着した汚れに雨水がかかった際に発生する前板部11、左側板部12および右側板部13への雨垂れ汚れの付着を適切に防止でき、よって、雨垂れ汚れによってカバー体10の見栄えが悪くなるようなことがなく、建物外壁色と同色のカバー体10の美観性を維持できる。
【００３０】
さらに、例えば既設の開閉装置１の開閉体収容ケース５にカバー体10および補助カバー体30を取り付けることにより、開閉体収容ケース５に既に付いた汚れ、へこみ等を隠すことができ、汚れ、へこみ等の再発も極力防止できる。
【００３１】
また、例えば開閉装置１の新築取付時においては、軒や庇の出ていない雨水のかかり易い場所に設置される開閉装置１の開閉体収容ケース５にカバー体10および補助カバー体30を予め取り付けることにより、例えば水切部を設けた開閉体収容ケース等に比べて、建築部位によって使い分けができ、開閉体収容ケース５の種類を増やす必要もないため、コストアップを防止できる。
【００３２】
なお、カバー体10は、上板部14の前端部、左端部および右端部の各々（３辺部）に水切部および雨樋部の少なくともいずれか一方が設けられた構成であればよく、例えば図４ないし図６に示すように、上板部14の前端部、左端部および右端部の各々に雨樋部41，42，43が設けられた構成でもよい。
【００３３】
図４ないし図６に示すカバー体10の上板部14の前端部、左端部および右端部の各々には、上方に向って開口する断面略コ字状の凹溝状の雨樋部41，42，43が各端部の全長にわたって設けられている。つまり、上板部14の前端部、左端部および右端部の各々には、雨樋部41，42，43が前板部11、左側板部12および右側板部13の各上端部外面と離間対向するように下方に向って一体に突設されている。
【００３４】
ここで、図５に示されるように、上板部14の前端部は、前板部11の上端部から前方に向って突出し、この突出部分に凹溝状の雨樋部41が設けられている。この前端位置の雨樋部41は、前後に互いに離間対向する溝側板部41aと、両溝側板部41aの下端部相互を連結する溝底板部41bと、前板部11と対向する後側の溝側板部41aの上端部から後方に向って突出する取付板部41cとを有している。なお、前板部11を構成する前板材21の上端部は略９０度折り曲げられ、この折曲部分21aに上板材20の取付板部20aおよび雨樋部41の取付板部41cがリベット、或いはビス等の取付具22にて固定的に取り付けられている。また、上板材20の前端部は略９０度折り曲げられ、この折曲部分20bが後側の溝側板部41aの内面に沿って位置してこの溝側板部41aの内面に当接している。
【００３５】
また、図６に示されるように、上板部14の右端部は、右側板部13の上端部から右側方に向って突出し、この突出部分に凹溝状の雨樋部43が設けられている。この右端位置の雨樋部43は、前記雨樋部41と同様、左右に互いに離間対向する溝側板部43aと、両溝側板部43aの下端部相互を連結する溝底板部43bと、右側板部13と対向する左側の溝側板部43aの上端部から左側方に向って突出する取付板部43cとを有している。なお、右側板部13を構成する右側板材23の上端部は略９０度折り曲げられ、この折曲部分23aに上板材20の取付板部20aおよび雨樋部43の取付板部43cがリベット、或いはビス等の取付具24にて固定的に取り付けられている。また、上板材20の右端部は略９０度折り曲げられ、この折曲部分20bが左側の溝側板部43aの内面に沿って位置してこの溝側板部43aの内面に当接している。
【００３６】
なお、図示しないが、上板部14の左端部は、左側板部12の上端部から左側方に向って突出し、この突出部分に凹溝状の雨樋部42が設けられている。この左端位置の雨樋部42は、前記雨樋部41，43と同様、左右に互いに離間対向する溝側板部42aと、両溝側板部42aの下端部相互を連結する溝底板部42bと、左側板部12と対向する右側の溝側板部43aの上端部から右側方に向って突出する取付板部とを有している。また右側板材23と同様、左側板部12を構成する左側板材25の上端部は略９０度折り曲げられ、この折曲部分に上板材20の取付板部20aおよび雨樋部43の取付板部がリベット、或いはビス等の取付具26にて固定的に取り付けられている。また、上板材20の左端部は略９０度折り曲げられ、この折曲部分20bが右側の溝側板部42aの内面に沿って位置してこの溝側板部42aの内面に当接している。
【００３７】
また、左右端位置の雨樋部42，43の溝底板部42b，43bは、上板部14と同様、前端ほど下方に位置するように前方に向って下り傾斜する前下り傾斜状に配設されている。なお、前端位置の雨樋部41の溝底板部41bは、水平状でも、左右いずれかに一方向に向って下り傾斜する傾斜状でもよい。
【００３８】
そして、図４ないし図６に示すカバー体10であっても、図１等に示すものと同様、開閉体収容ケース５の上面、前面および左右側面を保護でき、しかも、上板部14の前端部、左端部および右端部の各々に雨樋部41，42，43が設けられているため、上板部14に付着した汚れに雨水がかかった際に発生する前板部11、左側板部12および右側板部13への雨垂れ汚れの付着を適切に防止でき、雨垂れ汚れによって見栄えが悪くなるようなことがない。
【００３９】
また、カバー体10は、例えば図７ないし図９に示すように、上板部14の前端部に雨樋部41が設けられかつ上板部14の左端部および右端部の各々に水切部17，18が設けられた構成でもよく、また例えば図示しないが、上板部14の前端部に水切部16が設けられかつ上板部14の左端部および右端部の各々に雨樋部42，43が設けられた構成、上板部14の前端部および左端部に水切部16，17が設けられかつ上板部14の右端部に雨樋部43が設けられた構成、上板部14の前端部および左端部に雨樋部41，42が設けられかつ上板部14の右端部に水切部18が設けられた構成等でもよい。
【００４０】
さらに、カバー体10および補助カバー体30は、１つの開閉体収容ケース５を覆う構成には限定されず、例えば図１０に示すように、幅広の開口部２を開閉する連窓シャッタ等の開閉装置１における左右方向に並んだ複数、例えば２つの開閉体収容ケース５を同時に覆う構成等でもよい。この図１０に示す開閉装置１は、２つの開閉体３、左右のガイドレール４、中柱６、開口部２の閉鎖時に開閉体３が収容される２つの開閉体収容ケース５等を備えている。なお例えば左右方向に３つ以上並んだ開閉体収容ケース５を１つのカバー体10等で覆うようにした構成等でもよい。
【００４１】
また、例えばカバー体10の下端部に補助カバー体30を一体に設けた構成等でもよい。
【００４２】
さらに、例えば雨樋部41が前板部11の上端部外面と離間対向して前板部11の前方に位置する構成には限定されず、例えば前板部11の上端部より後方に位置する構成でもよく、また雨樋部42，43についても同様で、側板部12，13の上端部より内方に位置する構成でもよい。
【００４３】
また一方、開閉装置１は、窓シャッタには限定されず、例えば他のシャッタ装置（店舗用シャッタ、ガレージ用シャッタ、倉庫用シャッタ、工場用シャッタ等や、ブラインド装置等、或いはこれら装置のうちの同種または異種を複数並設したもの等でもよい。
【００４４】
また、リベット、或いはビス等の取付具22，24，26を用いることなく、例えば接着或いは溶着等によって上板材20の取付板部20a等を固着するようにしてもよい。
【００４５】
なお、上記各実施の形態を適宜組み合わせて構成することも可能である。
【図面の簡単な説明】
【００４６】
【図１】本発明の一実施の形態に係るカバー体を示す斜視図である。
【図２】図１のＡ−Ａ端面図である。
【図３】図１のＢ−Ｂ端面図である。
【図４】本発明の他の実施の形態に係るカバー体を示す斜視図である。
【図５】図４のＡ−Ａ端面図である。
【図６】図４のＢ−Ｂ端面図である。
【図７】本発明のさらに他の実施の形態に係るカバー体を示す斜視図である。
【図８】図７のＡ−Ａ端面図である。
【図９】図７のＢ−Ｂ端面図である。
【図１０】本発明のさらに別の他の実施の形態に係るカバー体を示す斜視図である。
【符号の説明】
【００４７】
１    開閉装置
５    開閉体収容ケース
10    カバー体
11    前板部
12    左側板部
13    右側板部
14    上板部
16，17，18    水切部
41，42，43    雨樋部
【図１】
2010126992.tif 000003
【図２】
2010126992.tif 000004
【図３】
2010126992.tif 000005
【図４】
2010126992.tif 000006
【図５】
2010126992.tif 000007
【図６】
2010126992.tif 000008
【図７】
2010126992.tif 000009
【図８】
2010126992.tif 000010
【図９】
2010126992.tif 000011
【図１０】
2010126992.tif 000012